(57)【要約】【課題】  接続可能な周辺機器をユーザに知らせることによって、ユーザが必要とする端末との接続だけを選択して確立を進め、接続が不要な端末とは接続を試みないアドホックネットワークに接続可能な機器を知らせるブルーツース無線通信装置および通信方法を提供する。【解決手段】  ブルーツースを搭載した無線通信装置において、接続を希望する機器を選択できるようにするユーザインタフェースと、無線通信装置と接続可能な周辺機器に関する情報をユーザインタフェースを介して提供し、ユーザインタフェースを介してユーザが接続を希望する機器が選ばれた場合、周辺機器のうちユーザが接続を希望する機器へだけ接続を確立する制御部とを含む無線通信装置。【選択図】      図３
2004254309.tif 000002
【特許請求の範囲】
【請求項１】
ブルーツースを搭載した無線通信装置において、
ユーザが接続を希望する機器を選択できるようにするユーザインタフェースと、
前記無線通信装置と接続可能な周辺機器に関する情報を前記ユーザインタフェースを介して提供し、前記ユーザインタフェースを介してユーザが接続を希望する機器が選択された場合、前記周辺機器のうち前記ユーザが接続を希望する機器にだけ接続を確立する制御部とを含むことを特徴とするアドホックネットワークに接続可能な機器を知らせるブルーツース無線通信装置。
【請求項２】
前記制御部は、インクワイアリトレインを送って前記接続可能な周辺機器を探し、前記インクワイアリを受信した機器から機器情報を含むインクワイアリレスポンスを受信して、前記周辺機器に関する情報を提供することを特徴とする請求項１に記載のアドホックネットワークに接続可能な機器を知らせるブルーツース無線通信装置。
【請求項３】
前記機器情報は、インクワイアリレスポンスメッセージとして使用されるＦＨＳパケットの使用されない部分に書き込まれることを特徴とする請求項２に記載のアドホックネットワークに接続可能な機器を知らせるブルーツース無線通信装置。
【請求項４】
前記無線通信装置は、各種情報を表示する液晶表示部を備え、前記周辺機器に関する情報を前記液晶表示部に文字列の形態で表示することを特徴とする請求項１に記載のアドホックネットワークに接続可能な機器を知らせるブルーツース無線通信装置。
【請求項５】
前記無線通信装置は、音を発するスピーカを備え、前記周辺機器に関する情報を前記スピーカを介して音で知らせることを特徴とする請求項１に記載のアドホックネットワークに接続可能な機器を知らせるブルーツース無線通信装置。
【請求項６】
前記制御部は、インクワイアリトレインを送って、直接無線接続可能な範囲内にある第１グループの周辺機器を探し、前記インクワイアリを受信した機器から機器情報を含むインクワイアリレスポンスを受信し、
前記受信した機器情報から前記機器のサービス属性を収集し、前記機器がグループアドホックネットワーク能力またはスカッタネットアビリティを有する場合、該当機器に接続可能な周辺機器を把握して接続可能な機器を前記周辺機器に関する情報でさらに表示することを特徴とする請求項１に記載のアドホックネットワークに接続可能な機器を知らせるブルーツース無線通信装置。
【請求項７】
前記制御部は、前記受信されたサービス属性がグループアドホックネットワークサービスをサポートしたりスカッタネットアビリティを示す時、該当機器にさらに多くの周辺機器を発見するよう要求することを特徴とする請求項６に記載のアドホックネットワークに接続可能な機器を知らせるブルーツース無線通信装置。
【請求項８】
ユーザが希望する値を入力する入力部と各種情報を表示する表示部とを備え、ブルーツースを搭載した無線通信装置の通信方法において、
前記無線通信装置と接続可能な範囲にある周辺機器に関する情報を前記表示部を通して提供する段階と、
前記入力部を通してユーザが接続を希望する機器が選択された場合、前記周辺機器のうち前記ユーザが接続を希望する機器にだけ接続を確立する段階とを含むことを特徴とするブルーツース無線通信装置におけるアドホックネットワークに接続可能な機器を知らせる通信方法。
【請求項９】
前記表示部を介して情報を提供する段階は、
インクワイアリトレインを送って、前記接続可能な周辺機器を探す段階と、
前記インクワイアリを受信した機器から機器情報を含むインクワイアリレスポンスを受信し、前記周辺機器に関する情報を提供する段階とを含むことを特徴とする請求項８に記載のブルーツース無線通信装置におけるアドホックネットワークに接続可能な機器を知らせる通信方法。
【請求項１０】
前記機器情報は、インクワイアリレスポンスメッセージとして使用されるＦＨＳパケットの使用されない部分に書き込まれることを特徴とする請求項９に記載のブルーツース無線通信装置におけるアドホックネットワークに接続可能な機器を知らせる通信方法。
【請求項１１】
前記無線通信装置は、各種情報を表示する表示部を備え、前記周辺機器に関する情報は前記表示部に文字列の形態で表示することを特徴とする請求項８に記載のブルーツース無線通信装置におけるアドホックネットワークに接続可能な機器を知らせる通信方法。
【請求項１２】
前記無線通信装置は、音を発するスピーカを備え、前記周辺機器に関する情報を前記スピーカを通して音で知らせることを特徴とする請求項８に記載のブルーツース無線通信装置でアドホックネットワークに接続可能な機器を知らせる通信方法。
【請求項１３】
前記表示部を通して情報を提供する段階は、
インクワイアリトレインを送って、直接無線接続可能な範囲内にある第１グループの周辺機器を探し、前記インクワイアリを受信した機器から機器情報を含むインクワイアリレスポンスを受信する段階と、
前記受信した機器情報から前記機器のサービス属性を収集し、前記機器がグループアドホックネットワーク能力またはスカッタネットアビリティを有する場合、該当機器に接続可能な周辺機器を把握して接続可能な機器を前記周辺機器に関する情報で表示する段階をさらに含むことを特徴とする請求項８に記載のブルーツース無線通信装置におけるアドホックネットワークに接続可能な機器を知らせる通信方法。
【請求項１４】
前記受信されたサービス属性がグループアドホックネットワークサービスをサポートしたりスカッタネットアビリティを示す時、該当機器にさらに多くの周辺機器を発見するよう要求する段階をさらに含むことを特徴とする請求項１３に記載のブルーツース無線通信装置でアドホックネットワークに接続可能な機器を知らせる通信方法。
【請求項１５】
ユーザが希望する値を入力する入力部と各種情報を表示する表示部とを備え、ブルーツースを搭載した無線通信装置の通信方法において、
前記無線通信装置と接続可能な範囲にある周辺機器に関する情報を前記表示部を通して提供する段階と、
前記入力部を通してユーザが接続を希望する機器を選択すると同時に、前記接続を希望する機器との接続確立手続を行なう段階とを含むことを特徴とするブルーツース無線通信装置でアドホックネットワークに接続可能な機器を知らせる通信方法。
【発明の詳細な説明】
【技術分野】
【０００１】
本発明は無線通信装置および通信方法に係り、さらに詳しくはアドホックネットワークを通じて接続可能な周辺機器をユーザに知らせることによって、ユーザが接続を望む端末との接続だけを選択して接続を確立し、接続を望まない端末とは接続しないようにするブルーツース（Ｂｌｕｅｔｏｏｔｈ：登録商標）無線通信装置および通信方法に関する。
【背景技術】
【０００２】
近距離無線データ通信における汎用語であるブルーツースは、電気通信、ネットワーキング、コンピューティング、消費財部門の全般に亘る無線データ通信技術のコード名である。ブルーツース技術は、近距離内で一つの無線接続を介して装置間に必要な多数本のケーブル接続の代わりをする。例えば、ブルーツース無線技術が携帯電話とラップトップコンピュータ内に具現されれば、ケーブルなしでも接続が可能となる。ブルーツースシステムの一部になれる装置としては、プリンタ、ＰＤＡ(personal digital assistant)、デスクトップコンピュータ、ファクシミリ、キーボード、ジョイスチックは勿論、事実上全てのデジタル装置がブルーツースシステムの一部になれる。
【０００３】
図１は、一般的なブルーツースネットワークの一例を示す。
図１に示すとおり、携帯電話１０がマスタになって、直接接続可能な範囲２０にあるコンピュータ２１、プリンタ２２、ＰＤＡ２３、およびヘッドセット２４と、ピコネット(piconet)を形成するために、インクワイアリを行なう。コンピュータ２１は、スピーカ３０と別のピコネットを形成することができる。
【０００４】
図２は、従来のブルーツースグループネットワークの接続過程を概略的に示す信号流れ図である。
電源が供給されると、ブルーツースのノードは、デフォルトでフリーノードとなる。その後、各ノードは、インクワイアリ(Inquiry)段階、インクワイアリスキャン(Inquiry scan)、スタン・バイ段階、休止(dormant)段階などにその状態が変化する。
【０００５】
ブルーツースにおいて、マスタノードは、直接接続可能な範囲にあるスレーブ機器にインクワイアリを行なう(段階Ｓ１０２)。インクワイアリを受けたスレーブ機器は、インクワイアリレスポンスをマスタにリターンする(段階Ｓ１０４)。すると、マスタは、ページ(page)過程を開始して近接したノードとの接続を確立する(段階Ｓ１０６)。
【０００６】
このような従来のブルーツースグループネットワークでは、スレーブ機器との接続を希望しない場合もマスタのインクワイアリに対する応答を送ってきた全てのスレーブとの接続が確立される。
【０００７】
ところが、ブルーツースは、データ転送前に、インクワイアリ、インクワイアリスキャン、ページ、ページスキャンなどのような接続確立に長時間かかる接続型(connection oriented)システムである。従って、ユーザの意思と関係なく全てのスレーブとの接続確立を試みることは、無線資源が浪費され、また，接続確立に長時間かかるという問題点がある。
【発明の開示】
【発明が解決しようとする課題】
【０００８】
本発明は、前述したような問題点を解決するために案出されたもので、その目的は、接続可能な周辺機器をユーザに知らせることによって周辺機器との接続の確立時にユーザが希望する端末との接続だけを選択して確立を進め、ユーザが希望しない機器とは接続を試みないようにするアドホックネットワークに接続可能な機器を知らせるブルーツース無線通信装置および通信方法を提供するところにある。
【課題を解決するための手段】
【０００９】
前述した目的を達成するための本発明に係る無線通信装置は、ブルーツースを搭載した無線通信装置において、接続を希望する機器を選択できるようにするユーザインタフェース、および前記無線通信装置と接続可能な周辺機器に関する情報を前記ユーザインタフェースを介して提供し、前記ユーザインタフェースを介してユーザが接続を希望する機器が選択された場合、前記周辺機器のうち前記ユーザが接続を希望する機器にだけ接続を確立する制御部を含む。
【００１０】
前記制御部は、インクワイアリトレインを送って前記接続可能な周辺機器を探し、前記インクワイアリを受信した機器から機器情報を含むインクワイアリレスポンスを受信して、前記周辺機器に関する情報を提供する。この際、前記機器情報はインクワイアリレスポンスメッセージとして使用されるＦＨＳ(Frequency Hop Synchronisation)パケットの使用されない部分に書き込まれる。
【００１１】
前記無線通信装置は、各種情報を表示する液晶表示部を備え、前記周辺機器に関する情報を前記液晶表示部に文字列の形態で表示することが望ましく、前記無線通信装置は、音を発するスピーカを備え、前記周辺機器に関する情報を前記スピーカを介して音で知らせることも可能である。
【００１２】
そして、前記制御部は、インクワイアリトレインを送って、直接無線通信可能な範囲内にある第１グループの周辺機器を探し、前記インクワイアリを受信した機器から機器情報を含むインクワイアリレスポンスを受信し、前記受信した機器情報から前記機器のサービス属性を収集し、前記機器がグループアドホックネットワークまたはスカッタネットアビリティを有する場合、前記該当機器と接続可能な周辺機器を把握して接続可能な機器を前記周辺機器に関する情報にさらに表示することが可能である。この際、制御部は、前記受信されたサービス属性がグループアドホックネットワークサービスを支援したりスカッタネットアビリティを示す時、該当機器にさらに多くの周辺機器を発見するよう要求することが可能である。
【００１３】
また、前述した他の目的を達成するため、ユーザが所望の値を入力する入力部と各種情報を表示する表示部とを備え、ブルーツースを搭載した無線通信装置の通信方法において、前記無線通信装置と接続可能な範囲にある周辺機器に関する情報を前記表示部を介して提供する段階、および前記入力部を通してユーザが接続を希望する機器が選択された場合、前記周辺機器のうち前記ユーザが接続を希望する機器にだけ接続を確立する段階を含むことを特徴とするブルーツース無線通信装置におけるアドホックネットワークを介して接続可能な機器を知らせる通信方法が提供される。
【００１４】
前記表示部を介して情報を提供する段階は、インクワイアリトレインを送って、前記接続可能な周辺機器を探す段階、および前記インクワイアリを受信した機器から機器情報を含むインクワイアリレスポンスを受信して、前記周辺機器に関する情報を提供する段階で構成することが可能である。この際、前記機器情報は、インクワイアリレスポンスメッセージとして使用されるＦＨＳパケットの使用されない部分に書き込まれることが望ましい。
【００１５】
前記無線通信装置は、各種情報を表示する表示部を備え、前記周辺機器に関する情報は前記表示部に文字列の形態で表示することが望ましく、前記無線通信装置は音を発するスピーカを備え、前記周辺機器に関する情報を前記スピーカによって音で知らせることも可能である。
【００１６】
そして、前記表示部を介して情報を提供する段階は、インクワイアリトレインを送って、その直接無線接続可能な範囲内にある第１グループの周辺機器を探し、前記インクワイアリを受信した機器から機器情報を含むインクワイアリレスポンスを受信する段階、および前記受信した機器情報から前記機器のサービス属性が分かり、前記機器がグループアドホックネットワーク能力またはスカッタネットアビリティを有する場合、該当機器に接続可能な周辺機器を把握して接続可能な機器を前記周辺機器に関する情報として表示する段階で構成することが可能である。この際、前記受信されたサービス属性がグループアドホックネットワークサービスをサポートしたりスカッタネットアビリティを示す時、該当機器にさらに多くの周辺機器を発見するよう要求する段階をさらに含むことが可能である。
【００１７】
本発明に係るブルーツース無線通信装置におけるアドホックネットワークを介して接続可能な機器を知らせる通信方法は、ユーザが所望の値を入力する入力部と各種情報を表示する表示部とを備え、ブルーツースを搭載した無線通信装置の通信方法において、前記無線通信装置と接続可能な範囲にある周辺機器に関する情報を前記表示部を通して提供する段階と、および前記入力部を通してユーザが接続を希望する機器を選択すると共に、前記接続を希望する機器との接続を確立する手続を行なう段階とを含む。
【発明の効果】
【００１８】
本発明によれば、周辺機器に関する情報を、例えば、モニター、音などで端末のユーザインタフェースを介してユーザに提供してユーザが希望する機器との接続だけを行い、接続を希望しない機器については接続を試みないので、不要な機器との接続および解除に掛かる時間を短縮でき、接続を希望する機器との接続だけを維持することによって限られた無線資源を効率よく使用できる。また、接続を希望する機器に迅速に接続でき、接続される機器の数を減らせる。
【発明を実施するための最良の形態】
【００１９】
以下、添付した図面に基づき本発明を詳述する。
図３は、本発明の一実施形態であって、アドホックネットワークに接続可能な機器を知らせるブルーツース無線通信装置のブロック図である。
【００２０】
図３に示すとおり、携帯電話のホスト１００とブルーツースモジュール２００は、バスを介して互いに接続され、必要な情報とデータを入出力する。
【００２１】
ホスト１００のメインプロセッサ１１０は、携帯電話の全般的な動作を制御する。メモリ１２０は、携帯電話の全般的な動作を制御する所定のプログラムを貯蔵しており、携帯電話を介して入出力されるデータおよび文字メッセージデータを所定の領域に貯蔵する。デュプレクサ１３０は、アンテナＡＴを介して基地局と通信を行ない、送受信される信号を分離する。受信部１４０は、所定の制御を受けて前記アンテナを介して入力された無線信号を受信し、前記デュプレクサ１３０によって分離された前記無線信号を受信する。送信部１５０は、所定の制御を受けて、後述するオーディオ部１６０から出力された無線信号をフィルタリングして増幅し、増幅した無線信号をデュプレクサ１３０およびアンテナＡＴを介して送信する。オーディオ部１６０は、メインプロセッサ１１０の制御を受けてマイクＭＩＣを通して入力される音声信号を無線信号に変調するとともに、受信部１４０を通して受信される無線信号を復調してスピーカＳＰに音声信号として送出する。
【００２２】
キー入力部１７０は、多数の数字キーと機能キーを備えており、ユーザが所定のキーを押すと、該当キーデータを発生してメインプロセッサ１１０に出力する。
【００２３】
表示部１８０は、各種情報を表示する液晶表示部(Liquid Crystal Display)を含み、メインプロセッサ１１０によって制御され、キー入力部１７０で発生されるキーデータおよび各種情報を受け取って表示する。
【００２４】
図３に示すとおり、ブルーツースモジュール２００は、ホスト１００とのデータおよび情報の入出力のための入出力部２１０と、外部とのデータ送受信のための送受信部２２０と、制御部２３０とを備える。
【００２５】
送受信部２２０は、外部から受信された信号、例えばＲＦ(Radio Frequency)信号を処理して、転送対象データパケットを外部に送出する。
【００２６】
通常、ブルーツースモジュール２００は、外部とデータを送受信するために送受信部を別に具備しているが、ブルーツースモジュール２００が、ホスト１００の送信部１５０と受信部１４０を併用するようシステムを構成することもできる。
【００２７】
制御部２３０は、前記無線通信装置と接続可能な範囲にある接続可能な周辺機器に関する情報を前記ユーザインタフェースを介して提供し、前記ユーザインタフェースを介してユーザが接続を希望する機器が選択された場合、接続を希望する機器との接続を確立し、他の機器とは接続を解除する。
【００２８】
制御部２３０は、インクワイアリトレインを送って、その直接無線範囲内にある周辺機器を探し、前記インクワイアリを受信した機器から機器情報を含むインクワイアリレスポンスを受信して、該受信した機器情報から前記機器のサービス属性を収集する。機器情報は、ブルーツースシステムのインクワイアリレスポンスメッセージとして使われるＦＨＳパケットの使用されていない部分を活用して伝達される。
【００２９】
制御部２３０は、受信した機器情報から前記機器に接続可能な別の機器があるのかを確認し、前記機器に接続可能な別の機器がある場合、サービスブラウジング（service browsing）してこれら装置のサービス属性を受信する。
【００３０】
前記受信されたサービス属性が、グループアドホックネットワークサービスを支持したりスカッタネットアビリティ（scatternet ability）を示す時、該当機器にＢＮＥＰ(Bluetooh Network Encapsulation Protocol)接続のためにＬ２ＣＡＰ(Logical Link Control and Adaptation Protocol)接続を確立することが可能である。また、制御部２３０は、該当機器にさらに多くの周辺機器を発見するよう要求することもできる。
【００３１】
前記機器情報は、図５に示した通り、インクワイアリレスポンスメッセージとして使われるＦＨＳパケットで使用されていない部分である、Undefined領域(２ビット)とＡＭ＿ＡＤＤＲ領域(３ビット)に書き込まれて転送される。
【００３２】
図５のＦＨＳパケットは、インクワイアリ過程においてインクワイアリスキャン装置がページング器に転送し、ページ手続の間にマスタがスレーブに転送し、マスタとスレーブがその役割を交換する際には、マスタと交替する装置によって転送される。マスタが、ペジングまたはマスタ／スレーブスイッチ過程において、ＦＳＨパケットを送信するとき、受信器は、ＡＭ＿ＡＤＤＲを使用し、インクワイアリスキャン装置によってＦＳＨパケットが送り返されるとき、受信器はＡＭ＿ＡＤＤＲを０にして使用する。従って、UndifinedビットとＡＭ＿ＡＤＤＲビットを共に使用すれば、装置タイプとして５ビットを使用できて、３２の装置タイプを書き込めるようになる。
【００３３】
制御部２３０は、無線通信装置に接続可能な周辺機器を表示部１８０に文字列の形態で表示する。また、制御部２３０は、周辺機器を知らせる音声信号をスピーカＳＰを通して出力する。ユーザは、キー入力部１７０を通して接続を希望する機器を選択することができる。
【００３４】
本実施形態において、キー入力部１７０、表示部１８０およびスピーカＳＰが、ユーザが希望する無線通信装置を選択できるようにするユーザインタフェースとなる。
【００３５】
図４は本発明に係るブルーツースを搭載した携帯用端末機器が周辺機器と接続される過程を示すフローチャートである。
【００３６】
このフローチャートに示すとおり、図７に示す携帯電話１０は、パワーオンされた後(Ｓ４０５)、インクワイアリトレインを送って、その無線範囲内にある別のブルーツース機器を探す(Ｓ４１０)。
【００３７】
インクワイアリを受信した機器は、ＦＨＳパケットを使ってインクワイアリレスポンスを送信し、携帯電話１０はそのインクワイアリレスポンスを受信する(Ｓ４１５)。インクワイアリレスポンスとして使われるＦＨＳパケットには機器情報が書き込まれて転送される。送信される機器情報は、前述したように、ＦＨＳパケットのペイロード部分の使用しないビット、すなわち定義されていない領域の２ビットとＡＭ＿ＡＤＤＲの３ビットに書き込まれて転送される。
【００３８】
携帯電話１０は、受信された機器情報のリストを作成して、そのリストを携帯電話の表示部１８０、例えば液晶スクリーンに文字列の形態で表示する(段階Ｓ４２０)。このとき、携帯電話の表示部１８０にリスト化され表示される機器情報は、それぞれの機器より送られてきたインクワイアリレスポンスを受信すると直ちに表示される。すなわち、それぞれの機器からレスポンスが到着する時毎に、機器情報がリストに追加されアップデートされる。もしユーザが接続を希望する機器のレスポンスが到着したならば、別の機器からのレスポンスは無意味になり、ユーザの選択によって、携帯電話１０は該当機器との接続確立の手続を行う。このような接続確立の手続は、ユーザが接続を希望する機器のレスポンスが到着すると同時に行われる。
【００３９】
ユーザが表示されたリストのうちいずれか一つの機器との接続を希望して選択すれば(段階Ｓ４２５)、携帯電話１０は、選択された機器とのみ接続を確立して、別の機器とは接続を試みない(段階Ｓ４３０)。
【００４０】
このような過程によって、ユーザが希望する機器にだけ接続を確立し、ユーザが希望しない機器については接続を試みないようになるため、限られた無線資源を効率的に利用でき、またユーザが希望する機器と迅速に接続を確立することができる。
【００４１】
一方、携帯電話１０は、直接接続可能な無線範囲内の機器以外もリスト化して表示することが可能である。すなわち、前述した実施形態において、まず、携帯電話１０が、直接接続可能な無線範囲にあるコンピュータ２１、プリンタ２２、ＰＤＡ２３およびヘッドセット２４を第１グループの周辺機器と定義する。それから、携帯電話１０は、受信した機器情報からコンピュータ２１、プリンタ２２、ＰＤＡ２３およびヘッドセット２４に接続可能な別の機器があるのかを確認するためにＳＤＰ(Service Discovery Protocol)サービスブラウジングして、それらの機器のサービス属性を受信する。
【００４２】
もし、受信されたサービス属性がグループアドホックネットワークサービスをサポートしたりスカッタネットアビリティを示す時、形態電話１０は、該当機器にＢＮＥＰ(Bluetooth Network Encapsultaion Protocol)接続のためにＬ２ＣＡＰ接続を確立する。もし、コンピュータ２１とプリンタ２２がＧＮ(Group Network)サービスとスカッタネットアビリティを示す場合、携帯電話１０は、ＢＮＥＰ接続のためにＬ２ＣＡＰ接続を確立する。そして、携帯電話１０は、ＭＴＵと交渉し、別のネットワークパケットタイプをフィルタリングする。すると、携帯電話１０は、さらに多くの周辺機器を発見するためにそれらに要求メッセージを送る。この要求メッセージに対して、コンピュータ２１は、高品質のスピーカ３０を発見して携帯電話１０に報告する。プリンタ２２が、他の新たな機器を発見しない場合には、携帯電話は、コンピュータ２１を介して接続可能なスピーカ３０を第２グループの機器と定義する。
【００４３】
携帯電話１０は、‘コンピュータ'、‘プリンタ'、‘ＰＤＡ'、‘ヘッドセット'、 ‘スピーカ'、および‘コンピュータ＋スピーカ'のリストを作成して、図６に示すように、携帯電話の表示部１８０、すなわちＬＣＤスクリーンに文字列の形態で表示する。また、携帯電話１０は、スピーカＳＰを通して音声によってもユーザにリストを知らせることができる。
【００４４】
ユーザがリストのうちいずれか一つの機器との接続を希望して選択すれば、携帯電話１０は選択された機器とのみ接続を確立し、別の機器からのレスポンスを無視する。もし、ユーザがＭＰ３ファイルを有しており、高品質の音楽を楽しもうとする場合、ユーザは、リストに提示された機器のうちスピーカ３０を選択できる。すると、図７に示した通り、携帯電話は、別の機器との接続は試みず、スピーカ３０だけを接続する。これによって、ユーザは、スピーカ３０を最大帯域幅で使ってＭＰ３ファイルを聴取できる。
【００４５】
以上では本発明の望ましい実施形態について示しかつ説明したが、本発明は前述した特定の実施形態に限らず、請求の範囲に記載された本発明の要旨を逸脱しない限り、本発明の属する技術分野において通常の知識を有する者ならば誰でも多様な変形実施が可能なことは勿論、そのような変更は請求の範囲の記載の範囲内にある。
【産業上の利用可能性】
【００４６】
本発明は、接続可能な周辺機器をユーザに知らせることによって、ユーザが必要とする端末との接続だけを選択して確立を進め、接続が不要な端末とは接続を試みないアドホックネットワークに接続可能な機器を知らせるブルーツース無線通信装置および通信方法に適用される。
【図面の簡単な説明】
【００４７】
【図１】一般のブルーツースネットワークの一例を示す図である。
【図２】従来のブルーツースグループネットワークの接続過程を概略的に示した信号流れ図である。
【図３】アドホックネットワークに接続可能な機器を示す、本発明の一実施形態に係るブルーツース無線通信装置のブロック図である。
【図４】本発明の実施形態において、ブルーツース搭載携帯用端末機器が周辺機器と接続する過程を説明するためのフローチャートである。
【図５】ＦＨＳパケット構造を示した図である。
【図６】接続可能な機器のリストの一例を示す図である。
【図７】本発明の実施形態において、携帯電話がスピーカと接続される様子を示す図である。
【符号の説明】
【００４８】
１００      ホスト
１１０      メインプロセッサ
１２０      メモリ
１３０      デュプレクサ
１４０      受信部
１５０      送信部
１６０      オーディオ部
１７０      キー入力部
１８０      表示部
２００      ブルーツースモジュール
２１０      入出力部
２２０      送受信部
２３０      制御部
【図１】
2004254309.tif 000003
【図２】
2004254309.tif 000004
【図３】
2004254309.tif 000005
【図４】
2004254309.tif 000006
【図５】
2004254309.tif 000007
【図６】
2004254309.tif 000008
【図７】
2004254309.tif 000009